(57)【特許請求の範囲】
【請求項１】
最低部と、相対する長側壁と相対する短側壁とからなる周状土手部と、物品収容部とを有するダネッジにおいて、前記物品収容部が、内部土手部と長側壁側土手と短側壁側土手とにより形成されており、且つ、前記長側壁側土手の両側に位置する前記最低部には、水抜き孔が穿設されているとともに、前記水抜き孔に遠い方の長側壁を持ち上げて、ダネッジを傾斜させた際に、前記長側壁側土手には、前記水抜き孔方向に向かって傾斜する傾斜壁が形成されていることを特徴とするダネッジ。
【発明の詳細な説明】
【０００１】
【発明の属する技術分野】
本発明は、載置される物品の形状に応じた凹凸面により形成された物品収容部を有する合成樹脂で一体成形されたダネッジに関するものである。
【０００２】
【従来の技術】
従来、凹凸面により形成された物品収容部を有する合成樹脂で一体成形されたダネッジにおいて、ダネッジの凹部に溜まった水を除去するために、ダネッジの一番低い凹部に、水抜き孔を形成したものが知られている。
【０００３】
【発明が解決しようとする課題】
従来、ダネッジの凹部に溜まった水は、ダネッジを傾けたりして、ダネッジの凹部に形成された水抜き孔から排除するようにしているが、ダネッジに収容される物品の底部の面積が大きく、従って、物品収容部の底部の平面部の面積が大きい場合には、平面部に、水抜き孔に向かって傾斜する勾配を形成することができないために、ダネッジの水抜きが悪いという問題があった。また、物品収容部に収容される物品が、重量物の場合には、物品収容部の底部の平面部の面積を大きくして、ダネッジが載置される床や作業台やパレットの上面と、ダネッジの底面との接触面積を大きくして、安定した状態で、物品が収容されたダネッジを保管したり、運搬するようにしているが、この場合にも、物品収容部の底部の平面部の面積が大きいので、ダネッジの水抜きが悪いという問題があった。
【０００４】
また、ダネッジを真空成形により合成樹脂で一体成形する場合には、金型が片面しかないので、ダネッジの表面と裏面の勾配が同一となってしまうために、ダネッジの凹部等に、容易に勾配を付けることができないという問題があった。
【０００５】
更に、ダネッジを裏返して、物品収容部等に溜まった水を排除することも可能であるが、大きなダネッジを引っ繰り返す作業は、作業者に相当の負担が掛かるとともに、水抜き作業の作業性が悪いという問題があった。
【０００６】
更にまた、ダネッジが載置されているパレットを、フォークリフトに乗った作業者が、パレットのフォーク挿入孔にフォークを差し込んで、ダネッジが載置されたパレットを運搬する作業が行われるが、この際、ダネッジに雨水等が溜まっている場合には、作業者が、その都度、フォークリフトから降りて、ダネッジに溜まっている雨水等を拭き取らなければならず、パレットの運搬作業の作業性が悪く、しかも、作業者に相当の作業負担が掛かるという問題があった。
【０００７】
本発明の目的は、上述した従来のダネッジが有する課題を解決することにある。
【０００８】
【課題を解決するための手段】
本発明は、上述した目的を達成するために、最低部と、相対する長側壁と相対する短側壁とからなる周状土手部と、物品収容部とを有するダネッジにおいて、前記物品収容部が、内部土手部と長側壁側土手と短側壁側土手とにより形成されており、且つ、前記長側壁側土手の両側に位置する前記最低部には、水抜き孔が穿設されているとともに、前記水抜き孔に遠い方の長側壁を持ち上げて、ダネッジを傾斜させた際に、前記水抜き孔方向に向かって傾斜する傾斜壁を、前記長側壁側土手に形成したものである。
【０００９】
【実施例】
以下に、本発明の実施例について説明するが、本発明の趣旨を越えない限り何ら、本実施例に限定されるものではない。
【００１０】
Ｃは、平面から見た輪郭形状が略方形状のダネッジに形成された物品収容部であり、収納される物品の下部形状に略対応して、所望の形状に形成されており、本実施例においては、３個の同一物品が収容されるように、３個の略同一構造を有する物品収容部Ｃが形成されている。
【００１１】
１は、ダネッジの一番低い底面を構成する平板状の最低部であり、２ａ１、２ａ２は、略方形状のダネッジの一方の相対する長辺から、外側に向かって傾斜した長側壁であり、２ｂ１、２ｂ２は、もう一方の相対する短辺から、外側に向かって傾斜した短側壁であり、長側壁２ａ１、２ａ２及び短側壁２ｂ１、２ｂ２の上端には、外側に水平に延在する周状のフランジ３が形成されている。そして、長側壁２ａ１、２ａ２、短側壁２ｂ１、２ｂ２及び周状のフランジ３により、周状土手部Ｂが形成されている。
【００１２】
物品収容部Ｃは、周状土手部Ｂと、平板状の最低部１から上方に膨出された種々の内部土手部４により仕切られている。本実施例においては、３個の物品収容部Ｃは、各物品収容部Ｃを区画する内部土手部４を構成する、平面形状が略コの字状の中央内部土手４ａにより仕切られており、また、内部土手部４は、適宜、長側壁２ａ１、２ａ２に形成された長側壁側土手４ｂや短側壁２ｂ１、２ｂ２に形成された短側壁側土手４ｃを有している。
【００１３】
４ｄは、各物品収容部Ｃの平板状の最低部１を上方に膨出させることにより形成された一対の平行な高さの低い膨出リブであり、各物品収容部Ｃの平板状の最低部１の周囲に配置された内部土手部４を構成する中央内部土手４ａや長側壁側土手４ｂを連結することのないように、膨出リブ４ｄの両端部には、平板状の最低部１の一部が残存するように構成されており、膨出リブ４ｄにより、平板状の最低部１が区画されないように構成されている。膨出リブ４ｄは、平板状の最低部１の面積が大きい場合に、平板状の最低部１の強度を上げるために、必要に応じて、適宜、形成することができる。
【００１４】
５は、平板状の最低部１に穿設された水抜き孔であり、水抜き孔５は、周状土手部Ｂや内部土手部４に接近して穿設されている。また、水抜き孔５付近に位置する周状土手部Ｂや内部土手部４には、相対する長側壁２ａ１、２ａ２の一方を持ち上げて、ダネッジを傾斜させた際に、水抜き孔５方向に向かって、下方に傾斜するように形成された傾斜壁が形成されている。
【００１５】
例えば、物品収容部Ｃ１は、平板状の最低部１ａと、周状土手部Ｂと、中央内部土手４ａと、長側壁側土手４ｂと短側壁側土手４ｃとにより区画されており、水抜き孔５ａは、長側壁側土手４ｂの両側に位置するとともに、周状土手部Ｂに接近して、平板状の最低部１に穿設されている。そして、水抜き孔５ａ付近の周状土手部Ｂには、水抜き孔５ａに遠い方の長側壁２ａ２を持ち上げて、ダネッジを傾斜させた際に、水抜き孔５方向に向かって、下方に傾斜する傾斜壁６ａが形成されている。従って、水抜き孔５ａが穿設されている長側壁２ａ１と反対側の長側壁２ａ２を持ち上げると、平板状の最低部１ａに溜まった水は、傾斜壁６ａに誘導されて、水抜き孔５ａ方向に流れ、水抜き孔５ａからは排出されることになる。
【００１６】
同様に、短側壁側土手４ｃと、中央内部土手４ａと、短側壁側土手４ｃと中央内部土手４ａとを連結する連結土手４ｅとによりコの字形成された平板状の最低部１ａの連結土手４ｅ付近には、水抜き孔５ｂが穿設されており、そして、連結土手４ｅには、水抜き孔５ｂに遠い方の長側壁２ａ１を持ち上げて、ダネッジを傾斜させた際に、水抜き孔５ｂ方向に向かって、下方に傾斜する傾斜壁６ｂが形成されている。従って、長側壁２ａ１を持ち上げると、平板状の最低部１ａに溜まった水は、傾斜壁６ｂに誘導されて、水抜き孔５ｂ方向に流れ、水抜き孔５ｂからは排出されることになる。
【００１７】
また、周状土手部Ｂと、中央内部土手４ａと、連結土手４ｅ等に囲まれた平板状の最低部１ｂの周状土手部Ｂ付近にも、同様の水抜き孔５ｃが穿設されており、そして、連結土手４ｅには、水抜き孔５ｂに遠い方の長側壁２ａ１を持ち上げて、ダネッジを傾斜させた際に、水抜き孔５ｃ方向に向かって、下方に傾斜する傾斜壁６ｃが形成されている。従って、長側壁２ａ１を持ち上げると、平板状の最低部１ｂに溜まった水は、傾斜壁６ｃに誘導されて、水抜き孔５ｃ方向に流れ、水抜き孔５ｃからは排出されることになる。
【００１８】
上述したように、ダネッジの１辺を持ち上げて、ダネッジを傾斜させた際に、周状土手部Ｂや中央内部土手４ａや連結土手４ｅ等の付近に穿設された水抜き孔５に向かって、平板状の最低部１に溜まった水が、水抜き孔５に誘導されるように、周状土手部Ｂや中央内部土手４ａや連結土手４ｅに、下方に傾斜する傾斜壁６を設けることにより、ダネッジを引っ繰り返すことなく、単に、ダネッジの１辺を持ち上げて、ダネッジを傾斜させることにより、平板状の最低部１に溜まった水を排出することができる。従って、ダネッジの水抜き作業の作業性が向上するとともに、作業者の負担が軽減されることになる。
【００１９】
また、ダネッジが載置されているパレットを、フォークリフトに乗った作業者が、パレットのフォーク挿入孔にフォークを差し込んで運搬作業を行う際に、ダネッジに水が溜まっていても、フォークリフトから降りることなく、パレットを、ダネッジの相対する長側壁２ａ１、２ａ２の一方が下方に位置するように傾斜させることにより、平板状の最低部１に溜まった水を排出することができるので、パレットの運搬作業の作業性が向上するとともに、作業者の作業負担を軽減することができる。
【００２０】
なお、上述した実施例には、ダネッジの相対する長側壁２ａ１、２ａ２の一方が下方に位置するように傾斜させるようにした例が示されているが、当然のことながら、ダネッジの相対する短側壁２ｂ１、２ｂ２の一方が下方に位置するように傾斜さることにより、平板状の最低部１に溜まった水を排出するように構成することもできる。
【００２１】
【発明の効果】
本発明は、以上説明した構成を有しているので、以下に記載する効果を奏するものである。
【００２２】
単に、ダネッジを傾斜させることにより、平板状の最低部に溜まった水を排出することができ、従って、ダネッジの水抜き作業の作業性が向上するとともに、作業者の負担が軽減される。
【図面の簡単な説明】
【図１】図１は本発明のダネッジの斜視図である。
【図２】図２は本発明のダネッジの平面図である。
【符号の説明】
Ｂ・・・・・・・・・・・・・周状土手部
Ｃ・・・・・・・・・・・・・物品収容部
１・・・・・・・・・・・・・最低部
４・・・・・・・・・・・・・内部土手部
５・・・・・・・・・・・・・水抜き孔
６・・・・・・・・・・・・・傾斜壁
【図１】
0004480281.tif 000002
【図２】
0004480281.tif 000003